(57)【要約】【課題】構造が簡単で作動が確実な自動施錠機構を提供する。【解決手段】トリガーボルト７の内端部にロッキングアーム５方向に突出する係合突部１３を形成しすると共に、ロッキングアーム５の制御端部にこの係合突部と係合する傾斜端縁１４を形成し、ロッキングアーム５をその傾斜端縁１４が係合突部１３に弾圧する方向に付勢すると共に、これらの間に生じる楔作用により、トリガーボルトの出没に連動してロッキングアームの回動を制御する。【選択図】  図３
2005016165.tif 000002
【特許請求の範囲】
【請求項１】
傾斜面を備えたボルトヘッドを先端に装着し、錠箱のフロント板に垂直な前後方向に移動可能に案内されると共に、ボルトヘッドがフロント板から外方に突出する方向に付勢されたデッドボルトと、デッドボルトの近傍において前後方向に移動可能に案内され、フロント板から外方に突出する方向に付勢されると共に、閉扉時扉枠と係合して錠箱内に引込むように構成されたトリガーボルトと、デッドボルト及びトリガーボルトの間において前後方向に延在する作用端部及び制御端部を備え、中央部を支軸により揺動可能に支承されると共に、外端である作用端がボルトヘッドの移動軌跡内に進入する方向に付勢されたロッキングアームとを有し、トリガーボルトの内端部にロッキングアーム方向に突出する係合突部を形成し、一方、ロッキングアームの制御端部にこの係合突部と係合する傾斜端縁を形成して、開扉時トリガーボルトがフロント板から突出した状態において、係合突部とロッキングアームの傾斜端縁との間に生じる楔作用により、ロッキングアームの作動端がボルトヘッドの移動軌跡外に退避するようにしたことを特徴とする自動施錠機構。
【請求項２】
傾斜面を備えたボルトヘッドを先端に装着し、錠箱のフロント板に垂直な前後方向に移動可能に案内されると共に、ボルトヘッドがフロント板から外方に突出する方向に付勢されたデッドボルトと、デッドボルトの近傍において前後方向に移動可能に案内され、フロント板から外方に突出する方向に付勢されると共に、閉扉時扉枠と係合して錠箱内に引込むように構成されたトリガーボルトと、デッドボルト及びトリガーボルトの間において前後方向に延在する作用端部及び制御端部を備え、中央部を支軸により揺動可能に支承されると共に、外端である作用端がボルトヘッドの移動軌跡内に進入する方向に付勢されたロッキングアームとを有し、トリガーボルトの内端部にロッキングアーム方向に突出する係合突部を形成し、一方、ロッキングアームの制御端部にこの係合突部と係合する傾斜端縁を形成して、開扉時トリガーボルトがフロント板から突出した状態において、係合突部とロッキングアームの傾斜端縁との間に生じる楔作用により、ロッキングアームの作動端がボルトヘッドの移動軌跡外に退避するようにすると共に、ロッキングアームの前方に、断面Ｌ字形の板材によるトリガーカバーを設けたことを特徴とする自動施錠機構。
【発明の詳細な説明】
【０００１】
【発明が属する技術分野】
この発明は、自動施錠機構に係り、特に、構造が簡単で作動が確実な自動施錠機構に関する。
【０００２】
【従来の技術】
例えばホテルの客室の錠前のように、合鍵によって施錠しなくても扉を閉めるだけで施錠できる自動施錠の錠前には種々の形式がある。
【０００３】
図１はその一例を示し、図１におけるデッドボルト１は、錠箱のフロント板２に垂直な前後方向（図１で左右方向）に移動可能に案内されると共に、ロッキングばね３の弾力により、フロント板から外方に突出する方向に付勢されている。
【０００４】
なお、上記デッドボルト１は、室内側の図示しないハンドルに連結されたリトラクター４により、所定の条件のもとに錠箱内に引っ込めることができる。
【０００５】
一方、上記デッドボルト１と一部重合するように、全体の形状が略逆Ｔ字形のロッキングアーム５が設けられており、その中央部を支軸６により回動可能に支承されると共に、その外端である作動端５ａが、傾斜面を有するデッドボルト１のボルトヘッド１ａの移動軌跡内に進入し、デッドボルト１の錠箱内への移動を阻止する、すなわちデッドボルト１をロックする方向（図１で時計方向）に付勢されている。
【０００６】
上記ロッキングアームの作動端５ａが常時デッドボルト１をロックしていると扉を閉めることができないので、扉が開いているときにはロッキングアーム５を図１に示す解錠角度位置に置き、扉が閉まったときにのみロッキングアーム５がデッドボルト１をロックするようにするため、換言すれば、閉扉すると自動的に施錠させるようにするため、デッドボルト１の近傍にトリガーボルト７が配設されている。
【０００７】
このトリガーボルト７は周知であるから簡単に説明すると、錠箱のフロント板２から外方に突出する方向に付勢され、例えば先端部の水平投影形状が山形に成形されており、閉扉時先端部と扉枠との係合によって生じる楔作用により錠箱内に引込むように構成されている。
【０００８】
従来の自動施錠機構は、例えば図１に示すように、錠箱のフロント板の近傍でトリガーボルト７とロッキングアーム５とを係合させていた。
【０００９】
そのため、図１に示すように、ロッキングアーム５の向う側に、全体の形状が略横向きＪ字形のロッキングガイド８を支軸６に回動可能に軸支する。
【００１０】
なお、このロッキングガイド８は、図２に示すように、例えば全体の形状が略横向きＪ字形で、紙面方向に厚い合成樹脂製で、その自由端が少し高くなっており、また、中央部に手前側に突出する係合片９が形成されている。
【００１１】
そして、このロッキングガイド８は、図１に示すように、その係合片９をロッキングアーム５の裏側に植設された係合ピン１１と係合させると共に、その少し高くなった自由端を、トリガーボルト７に植設され、ロッキングアーム５及びロッキングガイド８の更に裏側に配設された作動ピン１２に下方から係合しているので、時計方向に付勢されているロッキングアーム５は、その作動端部をロッキングガイド８を介してトリガーボルトの作動ピン１２に係止されることになり、図１に示す解錠角度位置を保つ。
【００１２】
この状態で扉を閉めると、傾斜面を有するボルトヘッド１ａが、扉枠との間に生じる楔作用により一旦錠箱内に引込むが、扉枠に開口した図示しないストライク孔と整合するに致り、その付勢力により再びフロント板２から突出してストライク孔に投入される。
【００１３】
これより少し遅れて、トリガーボルト７が錠箱内に押込まれ、作動ピン１２が右方に移動する結果、ロッキングアーム５が少し自由になり、時計方向に回動してその作動端５ａがボルトヘッド１ａの後方に進入してこの錠前が自動的に施錠される。
【００１４】
【発明が解決しようとする課題】
上記した構成の従来の自動施錠機構は、勿論所期の機能を発揮し、従来多用されてきたが、トリガーボルトとロッキングアームとの係合部の構成が少し複雑で部品点数も多く、更に、ロッキングアームを付勢するためのばねの形状が、ロッキングガイドとの干渉を避けるため複雑な形状にならざるを得ない、等未だ改良の余地がある。
【００１５】
そこで、この発明は、構造が簡単で作動が確実な自動施錠機構を提供し、持って上記した不都合を解消することを目的としている。
【００１６】
【課題を解決するための手段】
上記の目的を達成するため、請求項１に記載の発明は、傾斜面を備えたボルトヘッドを先端に装着し、錠箱のフロント板に垂直な前後方向に移動可能に案内されると共に、ボルトヘッドがフロント板から外方に突出する方向に付勢されたデッドボルトと、デッドボルトの近傍において前後方向に移動可能に案内され、フロント板から外方に突出する方向に付勢されると共に、閉扉時扉枠と係合して錠箱内に引込むように構成されたトリガーボルトと、デッドボルト及びトリガーボルトの間において前後方向に延在する作用端部及び制御端部を備え、中央部を支軸により揺動可能に支承されると共に、外端である作用端がボルトヘッドの移動軌跡内に進入する方向に付勢されたロッキングアームとを有し、トリガーボルトの内端部にロッキングアーム方向に突出する係合突部を形成し、一方、ロッキングアームの制御端部にこの係合突部と係合する傾斜端縁を形成して、開扉時トリガーボルトがフロント板から突出した状態において、係合突部とロッキングアームの傾斜端縁との間に生じる楔作用により、ロッキングアームの作動端がボルトヘッドの移動軌跡外に退避するようにしたことを特徴とする。
【００１７】
また、請求項２に記載の発明は、傾斜面を備えたボルトヘッドを先端に装着し、錠箱のフロント板に垂直な前後方向に移動可能に案内されると共に、ボルトヘッドがフロント板から外方に突出する方向に付勢されたデッドボルトと、デッドボルトの近傍において前後方向に移動可能に案内され、フロント板から外方に突出する方向に付勢されると共に、閉扉時扉枠と係合して錠箱内に引込むように構成されたトリガーボルトと、デッドボルト及びトリガーボルトの間において前後方向に延在する作用端部及び制御端部を備え、中央部を支軸により揺動可能に支承されると共に、外端である作用端がボルトヘッドの移動軌跡内に進入する方向に付勢されたロッキングアームとを有し、トリガーボルトの内端部にロッキングアーム方向に突出する係合突部を形成し、一方、ロッキングアームの制御端部にこの係合突部と係合する傾斜端縁を形成して、開扉時トリガーボルトがフロント板から突出した状態において、係合突部とロッキングアームの傾斜端縁との間に生じる楔作用により、ロッキングアームの作動端がボルトヘッドの移動軌跡外に退避するようにすると共に、ロッキングアームの前方に、断面Ｌ字形の板材によるトリガーカバーを設けたことを特徴とする。
【００１８】
【実施例】
以下、この発明を図面を参照して説明する。
図３において符号１３は係合突部を示し、この係合突部１３はトリガーボルト７の内端部（右端部）に一体に形成されており、ロッキングアーム方向、すなわち図示の実施例では上方に突出している。
【００１９】
一方、ロッキングアーム５の内端部５ｂは制御端部となっており、この制御端部５ｂには上記係合突部１３と係合する傾斜端縁１４が形成されている。
【００２０】
前記したように、ロッキングアーム５は図示しないばね部材により図３で時計方向に付勢されているので、傾斜端縁１４は係合突部１３に弾圧する方向に付勢されている。
【００２１】
また、傾斜端縁１４は、これと係合する係合突部１３の前後方向の位置により係合点が移動し、係合突部１３が右方に移動するにつれてロッキングアーム５は時計方向に回動するが、開扉時、すなわちトリガーアーム７に外力が作用せずしたがってトリガーアームが最大限前方に移動しているときには、ロッキングアーム５が解錠角度位置にあり、その作動端５ａがボルトヘッド１ａの移動軌跡外に退避するように、各部の形状寸法が設定されている。
【００２２】
なお、ロッキングアーム５の図３における垂直部分は、図示しないシリンダ錠や室内側のサムターンに連係されているが、その連係機構はこの発明の要旨ではないし、また、従来周知であるから、更に詳細な説明は省略する。
【００２３】
図３は、また、請求項２に記載の発明も示している。
すなわち、図３において符号１５はトリガーカバーを示し、このトリガーカバー１５は、断面Ｌ字形に折曲された板材で、その幅、換言すればフロント板２を正面に見たときのトリガーカバー１５の水平方向の寸法は、例えばトリガーボルト７の幅と同じくしてある。
【００２４】
そして、このトリガーカバー１５を錠箱に装着するには、例えば、フロント板の裏側の裏板１６に開口したトリガーボルトと嵌合する穴（図示及び付番せず）にトリガーカバー１５とほぼ同じ幅の溝１７を形成し、トリガーカバーの水平部分を上記した穴に挿入した状態で、トリガーカバーの垂直部を溝１７に嵌め込み、フロント板２と裏板１６とで挟持する態様で装着できる。
【００２５】
請求項２に記載の発明のようにトリガーカバーを設けると、トリガーボルト７の案内となるので自動施錠機構の作動が更に円滑になるばかりでなく、トリガーボルトが出没する穴から錠箱内に薄い板を差込み、不正解錠の目的で錠箱内を探ることを防止できる。
【００２６】
【発明の効果】
以上の説明から明らかなように、請求項１に記載の発明は、トリガーボルトの内端部にロッキングアーム方向に突出する係合突部を形成しすると共に、ロッキングアームの制御端部にこの係合突部と係合する傾斜端縁を形成し、トリガーボルトの出没に連動してロッキングアームの回動を制御するようにしたので、換言すれば、ロッキングアームとトリガーボルトとの係合を、ロッキングアームの支軸に関し、従来とは反対側の内側で行わせるようにしたので、ロッキングアームとトリガーボルトとを他の部材を介在させずに直接係合させることが可能になった。
【００２７】
そのため、機構が簡単になり、部品点数も減少するばかりでなく、機構が簡単になった分作動の円滑、及び確実性を期待できる。
【００２８】
また、請求項２に記載の発明は、トリガーボルトに近接してトリガーカバーを設けたので、このトリガーカバーがトリガーボルトの案内部材となってトリガーボルトの作動が円滑になるばかりでなく、不正解錠を目的とした錠前に対する攻撃の有効な防御となる、等種々の効果を奏する。
【図面の簡単な説明】
【図１】従来の自動施錠機構の一例を示す錠箱の一部断面側面図。
【図２】ロッキングガイドの正面図。
【図３】この発明による自動施錠機構の一例を示す錠箱の一部断面側面図。
【符号の説明】
１  デッドボルト
２  フロント板
５  ロッキングアーム
６  支軸
７  トリガーボルト
１３  係合突部
１４  傾斜端縁
１５  トリガーカバー
１６  裏板
１７  溝
【図１】
2005016165.tif 000003
【図２】
2005016165.tif 000004
【図３】
2005016165.tif 000005